(57)【要約】【課題】鍵装置の筐体外表面におけるインジケータランプのレイアウトの自由度を高め、識別文字列の視認性を向上させることを目的とする。【解決手段】扉の表面において、鍵装置２０の筐体部２１を、錠穴を遮蔽する遮蔽位置に固定するロック状態と遮蔽位置から錠穴を露出させる開放位置に移動可能とするアンロック状態とを切り換えるロック機構２２と、認証キーがセットされる認証キーセット部２１３と、貸金庫を識別するための識別情報が表示された表示部２１２と、ロック機構の状態を表示するインジケータランプ３００と、を備え、インジケータランプ３００は、前面パネル２１１に形成された開口部３０１と、筐体部２１内の回路基板２２１上に実装された発光素子３０３と、一端３０２ａが開口部３０１内に配置され、他端３０２ｂが発光素子３０３に対向した導光部材３０２と、を備えている。【選択図】図４
2014051777.tif 000002
【特許請求の範囲】
【請求項１】
貸金庫の扉の表面に取り付けられる鍵装置であって、
前記扉の表面において、前記扉を施錠・解錠するための錠穴を遮蔽する遮蔽位置と前記錠穴を露出させる開放位置との間で移動可能に設けられる筐体部と、
前記筐体部を前記遮蔽位置に固定するロック状態と前記遮蔽位置から移動可能な状態とするアンロック状態とを切り換えるロック機構と、を備え、
前記筐体部は、
前記扉の前記表面に対向する側とは反対側の前面に形成された前面パネルと、
前記前面パネルに設けられ、認証キーがセットされる認証キーセット部と、
前記認証キーセット部にセットされる前記認証キーの認証の可否に応じて前記ロック機構における前記ロック状態と前記アンロック状態との切り替えを制御する制御回路と、
前記前面パネルに設けられ、前記貸金庫を識別するための識別情報が表示された表示部と、
前記ロック機構の状態を表示するインジケータランプと、を備え、
前記インジケータランプは、
前記前面パネルに形成された開口部と、
前記筐体部内に設けられ、前記制御回路を構成する回路基板上に実装された発光素子と、
一端が前記開口部内に配置され、他端が前記発光素子に対向して前記発光素子で発する光を伝搬する導光部材と、
を備えていることを特徴とする貸金庫の鍵装置。
【請求項２】
前記前面パネルの長手方向一方の側の端部に前記認証キーセット部が設けられ、
前記前面パネルの長手方向他方の側の端部に前記インジケータランプの前記開口部が設けられ、
前記表示部は、前記認証キーセット部と前記インジケータランプとの間に配置されていることを特徴とする請求項１に記載の貸金庫の鍵装置。
【請求項３】
前記前面パネルは、該前面パネルの長手方向一方の側の端部と他の方側の端部から中央部に向かうにしたがい、前方に凸となる凸形状をなしていることを特徴とする請求項１または２に記載の貸金庫の鍵装置。
【請求項４】
前記インジケータランプの導光部材は、前記発光素子から離間するにつれて、断面積が拡大するように形成されている請求項１から３の何れか一項に記載の貸金庫の鍵装置。
【発明の詳細な説明】
【技術分野】
【０００１】
本発明は、貸金庫の扉に取り付けられる鍵装置に関する。
【背景技術】
【０００２】
貸金庫は、銀行、信用金庫、証券会社等に設置して利用に供されるものであり、利用者の重要書類、印鑑、貴金属等の保管に利用される。銀行等に設置される貸金庫は、一般的に、出入り口が限定された貸金庫室内に縦横に多数が配列されている。
従来の貸金庫は、管理者側の係員が利用者を貸金庫室に案内し、係員と利用者とが立ち会いのもとに貸金庫を解錠していた。貸金庫には、２組の錠前が設けられており、一方の錠前を、利用者が管理する鍵により貸金庫の扉を解錠・施錠し、他方の錠前を、管理者側が管理する鍵により解錠・施錠していた。
【０００３】
近年、管理者側の立ち会いを不要とするため、利用者だけで貸金庫の扉の解錠・施錠を行う半自動式の貸金庫が用いられている（例えば、特許文献１参照）。
半自動式の貸金庫は、管理者錠と利用者錠のうち、管理者錠を常時開放とするとともに、管理者錠及び利用者錠の錠穴自体を遮蔽する鍵装置が用いられている。この鍵装置は、管理者錠及び利用者錠の錠穴を遮蔽する位置と、利用者錠の錠穴を露出させる位置との間で移動可能に設けられている。
【０００４】
この鍵装置は電子的な認証キーを用いることによって施錠・解錠できるようになっている。鍵装置は、施錠状態では、錠穴を遮蔽する位置でロックされ、認証キーで鍵装置を解錠すると、錠穴を遮蔽する位置から錠穴を露出させる位置に移動可能となる。
認証キーには、管理者側によって、その利用者の貸金庫に特有の登録番号等の認証情報が書き込まれている。鍵装置側には、認証キーに書き込まれた認証情報を読み取る読み取り機構が備えられている。読み取り機構では、認証キーが差し込まれると、その認証キーに書き込まれた認証情報を読み出し、鍵装置のメモリに予め記憶されている認証情報と照合し、双方の認証情報が合致した場合のみ、鍵装置を解錠する。
【０００５】
このような半自動式の貸金庫では、解錠の際には、利用者が、管理者側から受け取った認証キーを用いて鍵装置を解錠する。すると、鍵装置が移動可能な状態となるので、鍵装置を移動させて利用者錠の錠穴を露出させる。この状態で、利用者の所有する鍵を利用者錠の錠穴に差し込んで貸金庫の扉を解錠する。
用事が済むと、利用者は、所有する鍵で貸金庫の利用者錠を施錠すると共に、鍵装置を元の位置に戻して錠穴を遮蔽する。この状態で、認証キーを鍵装置から引き抜くと、鍵装置が施錠され、錠穴を遮蔽する位置で固定される。この後、利用者は認証キーを管理者側に返却する。
【先行技術文献】
【特許文献】
【０００６】
【特許文献１】特開平１１−８１７６０号公報
【発明の概要】
【発明が解決しようとする課題】
【０００７】
ところで、上記したような貸金庫に使用される鍵装置は、利用者が認証キーを挿入したときに、認証が完了したこと等を表示するため、インジケータランプが設けられていることがある。
このようなインジケータランプは、鍵装置に内蔵された回路基板上に発光素子を実装し、この発光素子の発光部を鍵装置の筐体の外部に露出させることによって構成されている。
【０００８】
ここで、鍵装置は、扉の外表面に設けられた錠穴を隠す目的で設置されるために、扉の表面から突出して設けられている。
貸金庫は複数の利用者ごとに対応してそれぞれ必要となるため、複数の貸金庫が縦横複数列に隣接して設置されている。このため、扉を開いたときに、この扉の鍵装置が、隣接する他の扉の鍵装置に干渉してしまう。この干渉を避けるため、鍵装置は、なるべくコンパクトにすることが望まれている。しかし、これにより、鍵装置の筐体に内蔵される前記の回路基板、インジケータ、認証キーの情報読取り部等は、レイアウトに制限を受ける。
【０００９】
一方、鍵装置の筐体の外表面には、認証キーを差し込むスロット、インジケータランプに加え、それぞれの貸金庫を識別するための貸金庫番号等の識別文字列が表示されている。識別文字列は、利用者が、多数の貸金庫の中から、自らが借りている貸金庫を容易に見つけ出せるよう、なるべく大きく表示されているのが好ましい。
しかし、認証キーのスロットは、認証キーからの情報読取り部が筐体内部に設けられた基板上に実装されており、同様にインジケータランプも、発光素子が筐体内部に設けられた基板上に実装されている。そのため、認証キーのスロットやインジケータランプのレイアウトが基板によって制限され、その結果、筐体外表面における識別文字列の表示を、思うように大きく表示できないという課題がある。
【００１０】
本発明は、上記課題を解決するためになされたものであって、鍵装置の筐体外表面におけるインジケータランプのレイアウトの自由度を高め、識別文字列の視認性を向上させることができる貸金庫の鍵装置を提供するものである。
【課題を解決するための手段】
【００１１】
本発明は、上記課題を解決するため、以下の手段を採用する。
すなわち、本発明は、貸金庫の扉の表面に取り付けられる鍵装置であって、前記扉の表面において、前記扉を施錠・解錠するための錠穴を遮蔽する遮蔽位置と前記錠穴を露出させる開放位置との間で移動可能に設けられる筐体部と、前記筐体部を前記遮蔽位置に固定するロック状態と前記遮蔽位置から移動可能な状態とするアンロック状態とを切り換えるロック機構と、を備え、前記筐体部は、前記扉の前記表面に対向する側とは反対側の前面に形成された前面パネルと、前記前面パネルに設けられ、認証キーがセットされる認証キーセット部と、前記認証キーセット部にセットされる前記認証キーの認証の可否に応じて前記ロック機構における前記ロック状態と前記アンロック状態との切り替えを制御する制御回路と、前記前面パネルに設けられ、前記貸金庫を識別するための識別情報が表示された表示部と、前記ロック機構の状態を表示するインジケータランプと、を備え、前記インジケータランプは、前記前面パネルに形成された開口部と、前記筐体内に設けられ、前記制御回路を構成する回路基板上に実装された発光素子と、一端が前記開口部内に配置され、他端が前記発光素子に対向して前記発光素子で発する光を伝搬する導光部材と、を備えていることを特徴とする。
【００１２】
このような鍵装置においては、インジケータランプの発光部は、前面パネルに設けられた開口部内に導光部材の他端を露出させることで構成されており、発光素子と開口部とが離れていても、その間に導光素子を設けることによって、発光素子で発した光を伝搬して開口部内の導光部材の他端から発光することができる。したがって、基板とインジケータランプの発光部とを離して配置することが可能となり、筐体部内における基板やその他の部材のレイアウトの自由度を高めることができる。
また、前面パネルにおいても、発光部のレイアウトの自由度が高まるため、例えば、発光部を前面パネルの周縁部に配置することで、表示部を大きく形成することも可能となる。
【００１３】
また、本発明の貸金庫の鍵装置は、前記前面パネルの長手方向一方の側の端部に前記認証キーセット部が設けられ、前記前面パネルの長手方向他方の側の端部に前記インジケータランプの前記開口部が設けられ、前記表示部は、前記認証キーセット部と前記インジケータランプとの間に配置されていてもよい。
このようにして認証キーセット部とインジケータランプとを前面パネルの両端部に配することで、その中央部に設けられる表示部の面積を大きく確保することが可能となる。
【００１４】
本発明の貸金庫の鍵装置において、前記前面パネルは、該前面パネルの長手方向一方の側の端部と他方の側の端部から中央部に向かうにしたがい、前方に凸となる凸形状をなしていてもよい。
【００１５】
このような構成によれば、識別文字列の表示されている表示部が前方に凸形状をなすことになり、鍵装置に対して正対した方向以外であっても、上下左右方向から鍵装置を見た際の識別文字列の視認可能な領域を拡大させることができる。
【００１６】
前記インジケータランプの導光部材は、前記発光素子から離間するにつれて、断面積が拡大するように形成されていてもよい。
このような構成によれば、発光素子が点光源等の発光する面積が小さい発光素子であっても、導光部材によって導光される際に、導光部材内部の断面積に応じて光を拡散させることができるため、回路基板における光源の設置面積が十分に確保できないような場合であっても、広い範囲をインジケータランプとして発光させることが可能となる。
【発明の効果】
【００１７】
本発明の鍵装置によれば、鍵装置の筐体外表面におけるインジケータランプのレイアウトの自由度を高め、識別文字列の視認性を向上させることが可能となる。
【図面の簡単な説明】
【００１８】
【図１】本発明の実施形態に係る鍵装置が取り付けられた貸金庫を設置した貸金庫室の壁面の斜視図である。
【図２】本発明の実施形態に係る鍵装置が取り付けられた扉を示す図で、（ａ）は施錠状態における斜視図、（ｂ）は施錠状態の平断面図、（ｃ）は解錠状態の平断面図である。
【図３】本発明の実施形態に係る鍵装置の外観図である。
【図４】本発明の実施形態に係る鍵装置を示す図であり、（ａ）は図２（ｂ）のｃ−ｃ断面図、（ｂ）は図２（ｂ）のｄ−ｄ断面図である。
【図５】本発明の実施形態に係る鍵装置の認証キーを示す図であり、（ａ）は外観斜視図、（ｂ）は（ａ）のｂ−ｂ断面図である。
【図６】本発明の実施形態に係る鍵装置に備えられたインジケータランプの構成を示す図であって、（ａ）は平断面図、（ｂ）は正面から見た図である。
【図７】本発明の実施形態に係る鍵装置の貸金庫へ取り付け位置を説明する模式図で、（ａ）は施錠位置における外観図、（ｂ）は施錠位置における平断面図である。
【図８】本発明の実施形態に係る鍵装置の貸金庫へ取り付け位置を説明する模式図で、（ａ）は解錠位置における外観図、（ｂ）は解錠位置における平断面図である。
【図９】本発明の実施形態に係る鍵装置が取り付けられた貸金庫を側方から見た様子を説明する模式図で、（ａ）は側方０°から見た模式図、（ｂ）は側方１０°から見た模式図、（ｃ）は側方３０°から見た模式図である。
【発明を実施するための形態】
【００１９】
以下、本発明に係る貸金庫の鍵装置の実施形態について図面を参照して説明する。
図１に示すように、貸金庫１は、貸金庫室の壁面に沿って、複数個が水平方向及び垂直方向に隣接するように規則的に配列されて設置されている。
【００２０】
図２（ａ）〜（ｃ）に示すように、各貸金庫１は、その前面に扉１０を備えている。扉１０は、水平方向一方の側（例えば図２の例では扉１０に向かって右側）の端部に、蝶番１０３を介して貸金庫本体１ａに接続されている。これにより、図２（ｂ）、（ｃ）に示すように、扉１０は、蝶番１０３の鉛直回転軸周りに回動することによって、開閉可能とされている。
貸金庫１は、扉１０の後方に、貸金庫本体１ａに形成された収容凹部１ｂを備えており、扉１０を開くことによって、この収容凹部１ｂ内に物品や、物品を収納する引き出し等が収容できるようになっている。
【００２１】
扉１０の表面１０ａには、管理者錠の錠穴である管理錠穴１０１と、利用者錠の錠穴である利用錠穴１０２が形成されている。ここで、管理錠穴１０１と、利用錠穴１０２とは、扉１０の表面１０ａにおいて、その水平方向の中心部に対し、蝶番１０３とは反対側に寄せて配置されている。さらに、本実施形態では、利用錠穴１０２が、扉１０の表面１０ａにおいて、蝶番１０３とは反対側の端部近傍に設けられ、管理錠穴１０１は、利用錠穴１０２よりも蝶番１０３側に設けられている。
【００２２】
このような扉１０の表面１０ａには、鍵装置２０が取り付けられている。
図３、図４に示すように鍵装置２０は、鍵装置２０の外装部分となる筐体部２１と、筐体部２１の内部に配置されるロック機構２２（図４参照）とを有する。
【００２３】
筐体部２１は、扉１０の表面１０ａに沿って設けられるスライドベース２１０と、スライドベース２１０に保持される前面パネル２１１と、を備えている。
【００２４】
図４に示すように、スライドベース２１０は、平板状のベースプレート２１０ａと、筐体部２１をスライド自在に支持するスライドレール２１０ｂと、を備えている。
図４（ｂ）に示すように、ベースプレート２１０ａは、扉１０の表面１０ａに図示しないボルト、接着剤等によって固定され、一方向に長い矩形状とされている。ベースプレート２１０ａは、貸金庫１０の表面１０ａに設けられた利用錠穴１０２を覆わないよう設けられている。このベースプレート２１０ａを、扉１０の表面１０ａに取り付けたときに、その長辺方向が水平方向に合致するよう取り付けられる。そこで、以下の説明において、ベースプレート２１０ａの長辺方向と水平方向、ベースプレート２１０ａの短辺方向を垂直方向（あるいは上下方向）として説明する。
図４（ａ）に示すように、スライドレール２１０ｂは、ベースプレート２１０ａの上下の長辺に沿って水平方向に連続して形成されている。
【００２５】
図４（ａ）、（ｂ）に示すように、前面パネル２１１は、扉１０の前記表面１０ａに対向するスライドベース２１０とは間隔を隔てて反対側の前面に形成されたフェイス面２１１ａと、フェイス面２１１ａの外周部からスライドベース２１０側に延びる外縁部２１１ｂと、を有して、スライドベース２１０側に開口して形成されている。
そして、外縁部２１１ｂのうち上下の二面２１１ｂ１が、スライドベース２１０のスライドレール２１０ｂに沿って、水平方向にスライド移動可能に接続されている。これにより、前面パネル２１１は、スライドベース２１０に、水平方向にスライド移動可能に保持されている。
このようにして、筐体部２１の前面パネル２１１は、扉１０の表面１０ａにおいて、扉１０を施錠・解錠するための管理錠穴１０１および利用錠穴１０２を遮蔽する遮蔽位置と、利用錠穴１０２のみを露出させる開放位置との間で移動可能に設けられている。
【００２６】
フェイス面２１１ａは、水平方向両端部において外縁部２１１ｂとの接続部分である両端部２１１ａ１，２１１ａ２に対し、その中央部２１１ａ３が、スライドベース２１０から離間する側（前方）に膨らむ凸曲面状とされている。
【００２７】
フェイス面２１１ａにおいて、水平方向一方の端部には、認証キー２３が挿入可能なスロット部２１３が形成されている。
このスロット部２１３は、前面パネル２１１の外縁部２１１ｂから、前面パネル２１１の中央部２１１ａ３側に向けて、ベースプレート２１０ａと平行に延びる平板部２１４と、平板部２１４において外縁部２１１ｂとは反対側に所定長離間した位置で、平板部２１４とフェイス面２１１ａとの間に形成され、筐体部２１の内外を連通する開口部２１５と、を備えている。
【００２８】
平板部２１４は、開口部２１５よりもさらに筐体部２１の内側に向けて延びて形成されている。また平板部２１４は、フェイス面２１１ａよりも上下方向の高さが小さく、これによって、平板部２１４の上下には、上下の外縁部２１１ｂ，２１１ｂによって、ガイド壁２１６，２１６が形成されている（図３参照）。
【００２９】
平板部２１４は、フェイス面２１１ａの一方の端部２１１ａ１から、ベースプレート２１０ａと平行に延びている。これに対し、フェイス面２１１ａは両端部２１１ａ１，２１１ａ２に対して中央部２１１ａ３が膨らむ凸曲面とされることで、端部２１１ａ１よりも中央部２１１ａ３に近い位置では、フェイス面２１１ａと平板部２１４との間に、前後方向に間隔が隔てられている。開口部２１５は、このように間隔を隔てたフェイス面２１１ａと平板部２１４の間に形成されている。
開口部２１５のフェイス面２１１ａ側には、筐体部２１の内部に向けて、平板部２１４と平行に延びるガイド壁２１７が形成されている。さらに、ガイド壁２１７は、その上下両端部から平板部２１４に延びる壁部（図示無し）を有しており、このガイド壁２１７と平板部２１４とにより、断面矩形の筒状部２１８が形成されている。
【００３０】
ロック機構２２は、筐体部２１の前面パネル２１１を遮蔽位置に固定するロック状態と遮蔽位置から移動可能な状態とするアンロック状態とを切り換えるもので、筐体部２１の内部に配置された回路基板２２１からの信号によって解錠・施錠動作を行うロックユニット２２２、を有している。
【００３１】
回路基板２２１は、フェイス面２１１ａにおいて筐体部２１の内部空間側に設けられている。この回路基板２２１は、外部から、各貸金庫１に対して個別に割り当てられた認証情報を記憶したメモリ部、所定の処理を実行する制御回路等を備えている。また、回路基板２２１には、接触端子（図示無し）が設けられている。この接触端子は、筒状部２１８内に露出するよう設けられている。
【００３２】
ロックユニット２２２は、ロックユニット２２２のハウジング２２２ｃに保持された鉛直方向に延びる回転軸２２４と、回転軸２２４周りに回転自在に設けられたロックピース２２５と、回路基板２２１に電気的に接続されるアクチュエータ等の駆動源と、を有する。
【００３３】
ロックピース２２５は、回転軸２２４の軸線に直交する断面がＬ字状をなしており、その基端部２２５ａが回転軸２２４に回転自在に支持されている。これにより、ロックピース２２５は、回転軸２２４を中心として回動自在とされ、先端部２２５ｂが、ロックユニット２２２のハウジング２２２ｃから、スライドベース２１０に向けて出没可能とされている。
【００３４】
スライドベース２１０のベースプレート２１０ａには、このロックピース２２５の先端部２２５ｂが挿入可能なロック孔２１０ｃが形成されている。ロックピース２２５の先端部２２５ｂがロック孔２１０ｃに挿入された状態では、前面パネル２１１は、スライドベース２１０に対して固定されたロック状態となる。ロックピース２２５の先端部２２５ｂがロック孔２１０ｃから引き抜かれた状態では、前面パネル２１１は、スライドベース２１０に対して水平方向にスライド移動可能なアンロック状態となる。
【００３５】
ここで、ロックピース２２５の近傍には、先端部２２５ｂがロック孔２１０ｃに挿入された状態で、先端部２２５ｂがロック孔２１０ｃから引き抜かれる方向に変位するのを拘束する、図示しないストッパ部材が設けられている。このストッパ部材は、アクチュエータ等により、ロックピース２２５を拘束する位置と、ロックピース２２５の拘束を解除する位置とで、進退可能とされている。
また、ロックピース２２５は、図示しないスプリング等の弾性部材により、先端部２２５ｂがスライドベース２１０側に向けて接近する側に付勢されている。
【００３６】
このようなロックユニット２２２は、回路基板２２１から出力される信号が駆動源（図示無し）に伝達されると、アクチュエータによりストッパ部材を移動させ、ロックピース２２５の拘束を解除する。
この状態で、利用者が前面パネル２１１を水平方向にスライド移動させると、ロックピース２２５の先端部２２５ｂを、ロック孔２１０ｃの内周面が、回転軸２２４が設けられている側から前面パネル２１１のスライド方向に押圧する。すると、ロックピース２２５が、弾性部材の付勢力に抗して回転軸２２４周りに回動し、先端部２２５ｂがロック孔２１０ｃから引き抜かれる。この状態で、前面パネル２１１が、スライドベース２１０に対して水平方向にスライド移動可能なアンロック状態となるので、利用者は、前面パネル２１１をさらにスライドさせることができる。
また、利用者が、アンロック状態から、前面パネル２１１を逆方向にスライドさせていくと、ロックピース２２５の先端部２２５ｂがロック孔２１０ｃに到達したときに、図示しない弾性部材によって付勢されたロックピース２２５の先端部２２５ｂがロック孔２１０ｃに挿入され、これによって、スライドベース２１０に対し、前面パネル２１１が固定されたロック状態となる。
【００３７】
回路基板２２１の制御回路では、スロット部２１３に後述の認証キー２３がスロット部２１３に挿入されたときに、その認証の可否に応じて、上記のロック機構２２におけるロック状態とアンロック状態との切り替えを制御する。
【００３８】
図５（ａ），（ｂ）に示すように、認証キー２３は、キー基板２３１と、キー基板２３１の電源となるボタン電池２３２と、これらキー基板２３１及びボタン電池２３２を収容するベース部材２３３と、ベース部材２３３に収容されたキー基板２３１及びボタン電池２３２を覆うよう設けられるカバー部材２３４と、を備えている。
【００３９】
キー基板２３１は、平板状で、ボタン電池２３２に電気的に接続される図示しない端子を有している。このキー基板２３１は、各貸金庫１に対して個別に割り当てられた認証情報を外部から書き込み・消去できるメモリ部（図示無し）を備えている。
ボタン電池２３２は、断面円形のボタン状で、その厚さｔ２は、キー基板２３１の厚さｔ１よりも大きいものとなっている。
【００４０】
ベース部材２３３は、キー基板２３１を収容する第一凹部２３３ａと、ボタン電池２３２を収容する第二凹部２３３ｂとが、連続して形成されている。これら第一凹部２３３ａ、第二凹部２３３ｂは、キー基板２３１、ボタン電池２３２の厚さｔ１、ｔ２に合わせた深さを有している。このベース部材２３３において、カバー部材２３４とは反対側の背面部２３３ｃは、第一凹部２３３ａ、第二凹部２３３ｂの深さの違いに応じ、第一凹部２３３ａ側の平面部２３３ｄに比較して、第二凹部２３３ｂ側の平面部２３３ｅがカバー部材２３４から離間する側に突出して形成されている。
【００４１】
また、ベース部材２３３には、第一凹部２３３ａに収容されたキー基板２３１に電気的に接続される図示しない端子が、その幅方向一方の側の側面２３３ｓに露出して設けられている。
【００４２】
カバー部材２３４は、ベース部材２３３の第一凹部２３３ａ、第二凹部２３３ｂの開口を覆うよう設けられる平面部２３４ａと、平面部２３４ａの第二凹部２３３ｂ側の端部から直交して、ベース部材２３３の平面部２３３ｅに向けて延びるエンドプレート部２３４ｂと、を有して形成されている。
ここで、エンドプレート部２３４ｂは、その先端部２３４ｃが、ベース部材２３３の平面部２３３ｅよりも平面部２３４ａから離間する側に突出するよう形成されている。また、このエンドプレート部２３４ｂは、その幅方向両端部２３４ｄよりも中央部２３４ｅが外方に膨出するよう、断面円弧状に湾曲形成されている。
【００４３】
さて、図３に示すように、筐体部２１の前面パネル２１１のフェイス面２１１ａにおいて、水平方向一方の端部に形成されたスロット部２１３に対して他方の端部までの部分には、それぞれの貸金庫１を識別するための識別文字列（識別情報）Ｃが表示される表示部２１２が取り付けられている。
【００４４】
表示部２１２は、それぞれの貸金庫１を識別するための金庫番号等の識別文字列Ｃが表示された表示領域２１２ａが形成されている。この表示領域２１２ａは、表示部２１２の中央部に位置するよう形成されている。
このような表示部２１２は、衝撃を吸収する高分子樹脂等の緩衝材料で形成するのが好ましい。
【００４５】
また、表示部２１２には、ロック機構２２の状態を表示するインジケータランプ３００の発光部３００ａが設けられている。
図４、図６（ａ），（ｂ）に示すように、インジケータランプ３００は、前面パネル２１１および表示部２１２において、スロット部２１３が形成されているのとは水平方向反対側の端部２１１ａ２に近い位置に、鉛直方向に連続するよう貫通形成された直線状のスリット（開口部）３０１と、筐体部２１内に設けられ、回路基板２２１上に実装された発光素子３０３と、発光素子３０３で発する光を伝搬する導光部材３０２と、を備えて構成されている。
このインジケータランプ３００の発光部３００ａは、スリット３０１に、導光部材３０２の一端３０２ａが露出することで形成されている。
【００４６】
発光素子３０３は、開口部２１５とは反対側の端部２２１ａ近くの回路基板２２１上に実装されたたＬＥＤ（Ｌｉｇｈｔ  Ｅｍｉｔｔｉｎｇ  Ｄｉｏｄｅ）等からなる。この発光素子３０３は、筐体部２１内において、上下方向の例えば中央部に配置されている。
【００４７】
導光部材３０２の一端３０２ａは、スリット３０１の形状に合わせて直線状に形成され、その端面がスリット３０１を通じて外部に露出している。また、導光部材３０２の他端３０２ｂは、発光素子３０３に近接配置されるとともに、他端３０２ｂの端面が、発光素子３０３に正対するように配置されている。導光部材３０２は、例えばアクリル樹脂等によって一体成形され、他端３０２ｂから一端３０２ａまで連続する導光部３０２ｃを有している。
【００４８】
導光部３０２ｃは、他端３０２ｂから一端３０２ａに向かって徐々に上下方向に幅広となる略一定厚さの平板状に形成されており、他端３０２ｂの発光素子３０３に正対する端面よりも、一端３０２ａの端面の方が、上下幅方向に向かって長尺に形成されている。つまり、インジケータランプ３００の導光部３０２ｃは、発光素子３０３から離間するにつれて、その縦断面における面積が拡大するように形成されている。これにより、発光素子３０３が点光源等であり上下に短い形状であっても、導光部３０２ｃによって導光する際に、導光部３０２ｃの内部で光を上下方向に拡散させることができる。そのため、回路基板２２１における発光素子３０３の設置面積が十分に確保できない場合であっても、スリット３０１の形状に適合した上下に長尺な直線状に一端３０２ａを発光させることが可能となっている。
【００４９】
ここで、図４からもわかるように、スリット３０１から外部に露出される導光部材３０２の一端３０２ａは、発光素子３０３が設けられた回路基板２２１の端部２２１ａよりも、開口部２１５とは反対側に離間した位置に配置されている。
導光部材３０２は、図示しない脚部を有し、この脚部が、ビス、溶着材、接着剤等によって、回路基板２２１または前面パネル２１１の裏面等に固定されている。
【００５０】
このような構成では、回路基板２２１の制御回路から出力される指令に基づき、発光素子３０３に給電がなされると、発光素子３０３が発光する。この発光による光は、発光素子３０３に近接する他端３０２ｂから導光部材３０２に入射され、導光部３０２ｃ内を伝搬して、一端３０２ａから出射される。
導光部材３０２の一端３０２ａは、直線状のスリット３０１から外部に露出するよう設けられているため、インジケータランプ３００の発光部３００ａから出射される光は直線状となる。
【００５１】
次に、上記構成の鍵装置２０を備えた貸金庫１の作用について説明する。
上記構成の鍵装置２０を備えた貸金庫１は、その貸金庫１に割り当てられた固有の認証情報が事前に書き込まれた認証キー２３をスロット部２１３に挿入することで、鍵装置２０の解錠・施錠がなされる。
図７に示すように、スロット部２１３に認証キー２３が挿入されず、鍵装置２０が施錠状態にあるときには、ロックピース２２５がロック孔２１０ｃに挿入された状態で、その変位が規制されている。これにより、前面パネル２１１が管理錠穴１０１と利用錠穴１０２とを覆った状態のまま、扉１０の表面１０ａ上において移動が拘束されている。これにより、扉１０を開閉できない状態とされている。
【００５２】
図８に示すように、管理者側から利用者に対して発行された、正しい認証情報が書き込まれた認証キー２３を利用者がスロット部２１３に挿入すると、鍵装置２０の回路基板２２１が、認証キー２３の認証処理を、予め記憶された処理プログラムに基づいて自動的に実行する。
【００５３】
すなわち、認証キー２３がスロット部２１３に挿入され、回路基板２２１側の端子とキー基板２３１側の端子とが電気的に接続されると、鍵装置２０の回路基板２２１側では、認証キー２３のキー基板２３１に書き込まれた認証情報を読み出し、回路基板２２１に記憶された認証情報と合致しているか照合する。
【００５４】
両者の認証情報が合致した場合のみ、認証がなされたとして、図示しないストッパ部材による拘束が解除されてロックピース２２５の変位を許容する状態とされる。これにより、ロックピース２２５が回転軸２２４周りに回転して先端部２２５ｂがロック孔２１０ｃから引き抜かれる方向に変位可能となる。すると、前面パネル２１１が、扉１０の表面１０ａ上において移動可能となる。
【００５５】
また、正しく照合がなされた場合、回路基板２２１から給電がなされて発光素子３０３が発光し、その光は導光部材３０２によって伝搬されて、インジケータランプ３００の発光部３００ａが直線状に発光する。
これにより、利用者は、正しく照合がなされ、前面パネル２１１がスライド移動可能なアンロック状態となったことを認識することができる。
【００５６】
この状態で、利用者が、前面パネル２１１を、認証キー２３が挿入されたスロット部２１３側にスライドさせると、扉１０の表面１０ａの利用錠穴１０２が露出された開放状態となる。この際、スライドレール２１０ｂの水平方向の長さを調整することで、前面パネル２１１のスライド量を規制し、開放位置においても管理錠穴１０１が露出しないようにしている。これによって、管理錠穴１０１は常に解錠状態としておいても利用者が触れることができないようになっている。
【００５７】
この状態で、利用者は利用錠穴１０２に自らが所持する利用者錠を差し込んで回すことによって、貸金庫１を解錠することができる。
【００５８】
貸金庫１の利用後は、上記と逆の手順で作業を行い、まず、利用錠穴１０２に自らが所持する利用者錠を差し込んで回すことによって、貸金庫１を施錠する。
次いで、前面パネル２１１を、前記とは逆方向にスライドさせ、利用錠穴１０２を覆う位置に移動させる。すると、ロックピース２２５は、弾性部材の付勢力によって、その先端部２２５ｂがロック孔２１０ｃに挿入される。
そして、その位置で、認証キー２３をスロット部２１３から引き抜く。すると、鍵装置２０側の回路基板２２１においては、認証キー２３との電気的な接続が解除されたことを認識し、図示しないストッパ部材により、ロックピース２２５がロック孔２１０ｃに挿入された状態からの変位を規制する。これにより鍵装置２０はロック状態に復帰する。
【００５９】
上記において、認証キー２３がスロット部２１３から引き抜かれ、鍵装置２０側の回路基板２２１においては、認証キー２３との電気的な接続が解除されたことを認識した場合、回路基板２２１から給電がなされて発光素子３０３が発光し、その光が導光部材３０２によって伝搬されて、インジケータランプ３００が直線状に発光する。
これにより、利用者は、鍵装置２０および貸金庫１が施錠状態に復帰したことを認識することができる。
【００６０】
上述したような鍵装置２０によれば、回路基板２２１上の発光素子３０３と、インジケータランプ３００の位置とが離れていても、発光素子３０３とインジケータランプ３００との間に導光部材３０２を設けることによって、発光素子３０３で発する光を、離間したインジケータランプ３００から外部に発光することができる。
これによって、インジケータランプ３００の、フェイス面２１１ａにおけるレイアウトの自由度が大幅に高まる。また、インジケータランプ３００を、フェイス面２１１ａのなるべく外縁部２１１ｂ寄りに配置することで、金庫番号等の識別文字列Ｃが表示された表示領域２１２ａを広く確保することができる。その結果、識別文字列Ｃの視認性を向上させることができる。
【００６１】
また、鍵装置２０によれば、図９（ａ）に示すように、水平方向左側から鍵装置２０を見た場合には、表示部２１２に表示された識別文字列Ｃを側方から見ることとなる。表示部２１２が前面に向かって凸形状をなす曲面であることから、表示部２１２の側方からの視認可能な領域が広がり、識別文字列Ｃの一部を側方からでも視認でき、鍵装置２０に対して向き合った状態である正面視以外での視認性を向上させることができる。
さらに、図９（ｂ）、（ｃ）に示すように、表示部２１２がフェイス面２１１ａに沿って水平方向の両端から中央に向かうにしたがって前面に向かって凸形状をなす曲面であることで、視認方向が側方よりも１０°〜３０°程度わずかに前方である斜め前方からであっても、表示部２１２を見た際に、識別文字列Ｃの視認が可能となる。このようにして、表示部２１２を見た際の識別文字列Ｃの視認可能な領域をさらに広げることができ、視認性をさらに向上させることが可能となる。
【００６２】
以上、本発明の実施形態について図面を参照して詳述したが、上記実施形態における各構成及びそれらの組み合わせ等は一例であり、本発明の趣旨から逸脱しない範囲内で、構成の付加、省略、置換、及びその他の変更が可能である。また、本発明は実施形態によって限定されることはなく、クレームの範囲によってのみ限定される。
【００６３】
例えば、導光部材３０２は、一端３０２ａと他端３０２ｂとの間は、いかなる形状としても良い。さらに、インジケータランプ３００の位置は、各図に示した位置に限らず、フェイス面２１１ａ内であればいかなる位置であっても良く、さらには例えば前面パネル２１１の外縁部２１１ｂに形成しても良い。
【００６４】
なお、壁面に設置される貸金庫１の数量は利用者数などの必要に応じて異なり、貸金庫１室の大きさ等も考慮して決定されれば良い。
また、認証キー２３は、スロット部２１３に挿入されて、端子同士が直接導通することで、認証情報のやり取りをするようにしたが、例えば、無線通信等を用いることもでき、その場合、必ずしもスロット部２１３に挿入する必要は無く、鍵装置２０側のアンテナ部に認証キー２３を押し当てるようにしても良い。
さらに、インジケータランプ３００の発光部３００ａの発光により発する情報は、鍵装置２０のロック状態、アンロック状態のみではなく、鍵装置２０の状態を示す他の様々な情報を発することができる。
加えて、発光部３００ａは、直線状のスリット３０１に導光部材３０２の一端３０２ａを露出することで構成したが、スリット３０１に変えて、適宜形状の１個あるいは複数の開口部に導光部材３０２の一端３０２ａを露出させることもできる。
【００６５】
また、上記実施形態では、ロックピース２２５が前面パネル２１１のスライド動作によって回転してロック孔２１０ｃから引き抜かれて解錠がなされ、弾性部材の付勢力によってロックピース２２５の先端部２２５ｂがロック孔２１０ｃに挿入されて施錠がなされるようにした。しかし、これに限らず、例えば、ロックピース２２５を回転軸２２４と一体に設け、図示しないモーター等の駆動源によって回転軸２２４を所定の方向に回転させることによって、ロックピース２２５を旋回させて、解錠・施錠をなす構成とすることもできる。このような構成では、ロックピース２２５が回転軸２２４とともに回転軸２２４の中心軸周りに旋回し、その先端部２２５ｂがスライドベース２１０に向けて出没する。このロックピース２２５の先端部２２５ｂをスライドベース２１０のロック孔２１０ｃに挿入した状態では、スライドベース２１０に対し、前面パネル２１１が固定されたロック状態となる。ロック状態から、ロックピース２２５を回転軸２２４とともに旋回させ、ロックピース２２５の先端部２２５ｂをスライドベース２１０のロック孔２１０ｃから引き抜くと、スライドベース２１０に対し、前面パネル２１１が水平方向にスライド移動可能なアンロック状態となる。
【００６６】
また、扉１０の回動動作方向は本実施形態に限定されるものではなく、例えば、上端に蝶番１０３を有して水平軸周りに回転して解放される構造となっていても良い。
さらに、鍵装置２０の移動方向は本実施形態の水平方向に限定されるものではなく、例えば垂直方向であっても良い。
また、前面パネル２１１の形状は、本実施形態のように前方に向かって凸形状をなす曲面に限らず，平面状であっても良い。
【符号の説明】
【００６７】
１  貸金庫
１ａ  貸金庫本体
１ｂ  収容凹部
１０  扉
１０ａ  表面
２０  鍵装置
２１  筐体部
２２  ロック機構
２３  認証キー
１０１  管理錠穴
１０２  利用錠穴
１０３  蝶番
２１０  スライドベース
２１０ａ  ベースプレート
２１０ｂ  スライドレール
２１０ｃ  ロック孔
２１１  前面パネル
２１１ａ  フェイス面
２１１ｂ  外縁部
２１２  表示部
２１２ａ  表示領域
２１３  スロット部（認証キーセット部）
２１４  平板部
２１５  開口部
２１６  ガイド壁
２１７  ガイド壁
２１８  筒状部
２２１  回路基板
２２１ａ  端部
２２２  ロックユニット
２２２ｃ  ハウジング
２２４  回転軸
２２５  ロックピース
２２５ａ  基端部
２２５ｂ  先端部
２３１  キー基板
２３２  ボタン電池
２３３  ベース部材
２３４  カバー部材
３００  インジケータランプ
３００ａ  発光部
３０１  スリット（開口部）
３０２  導光部材
３０２ａ  一端
３０２ｂ  他端
３０２ｃ  導光部
３０３  発光素子
Ｃ  識別文字列（識別情報）
【図１】
2014051777.tif 000003
【図２】
2014051777.tif 000004
【図３】
2014051777.tif 000005
【図４】
2014051777.tif 000006
【図５】
2014051777.tif 000007
【図６】
2014051777.tif 000008
【図７】
2014051777.tif 000009
【図８】
2014051777.tif 000010
【図９】
2014051777.tif 000011